(57)【要約】【課題】  ガス抜き作業の途中でも容易にガスの排出を停止できるボンベ用のガス抜き装置であって、より低コストで製造できるものを提供すること。【解決手段】  ノズルの露出部分よりも短い長さを有し、ボンベのノズル基部と嵌着可能なガス抜き用キャップであって、ボンベのノズル基部とキャップが接触する部分の横方向の断面において、キャップの一部のみがボンベのノズル基部と密着してキャップをノズル基部に固定するとともに、キャップの一部はボンベのノズル基部と接触せずに排出されるガスの流路を確保する、ボンベのガス抜き用キャップ。【選択図】  図３
2007308147.tif 000002
【特許請求の範囲】
【請求項１】
ノズルの露出部分よりも短い長さを有し、ボンベのノズル基部と嵌着可能なボンベの内部ガス排出用キャップであって、ボンベのノズル基部とキャップが接触する部分の横方向の断面において、キャップの一部のみがボンベのノズル基部と密着してキャップをノズル基部に固定するとともに、キャップの一部はボンベのノズル基部と接触せずに排出されるガスの流路を確保する、ボンベの内部ガス排出用キャップ。
【請求項２】
内部が空洞で、カップ状の形状を有する請求項１記載のキャップ。
【請求項３】
ボンベのノズル基部とキャップが接触する部分の横方向の断面において、キャップの断面形状が略四角であり、直線部分においてボンベのノズル基部と密着する、請求項１記載のキャップ。
【請求項４】
ボンベのノズル基部とキャップが接触する部分の横方向の断面において、キャップの断面形状が内側方向への少なくとも１つの突起部分を有し、該突起部分においてボンベのノズル基部と密着する、請求項１記載のキャップ。
【請求項５】
ボンベが、エアゾール缶、カセットコンロ用ガスボンベ、およびキャンプ用ガスボンベから選択される加圧容器である、請求項１から３のいずれか１項記載のキャップ。
【発明の詳細な説明】
【技術分野】
【０００１】
本発明は、ボンベの内部ガス排出用キャップに関するものである。
【背景技術】
【０００２】
近年、エアゾール缶、カセットコンロ用ガスボンベ、およびキャンプ用ガスボンベの廃棄処分作業中に、残留するガスが火災や爆発を引き起こすという事件がしばしば発生している。これらを使用した後、内部のガスを完全に排出することが消費者に求められているものの、十分に徹底されていないのが現状である。このため、消費者が残留ガスを容易に排出できるような機構について、これまで数多くの提案がなされてきた。
かかる課題を解決すべく、本発明者は特願平１０−１９８１５１にかかる発明を為し、改善を図った。
しかし、平成１７年３月には、経済産業省からエアゾール缶回収処理システム構築調査報告書が出され、この中で中身排出機構は、作業しても使用の途中で停止できる構造であることが求めらた。また、かかる中身排出機構が各エアゾール缶について提供されることが求められるため、より低コストで目的を達成できる機構が求められている。
【特許文献１】特願平１０−１９８１５１
【発明の開示】
【発明が解決しようとする課題】
【０００３】
本発明は、上記の課題を解決するため、ガス抜き作業の途中でも容易にガスの排出を停止できるボンベ用のガス抜き装置であって、より低コストで製造できるものを提供することを目的とする。
【課題を解決するための手段】
【０００４】
本発明は、ノズルの露出部分よりも短い長さを有し、ボンベのノズル基部と嵌着可能なボンベの内部ガス排出用キャップであって、ボンベのノズル基部とキャップが接触する部分の横方向の断面において、キャップの一部のみがボンベのノズル基部と密着してキャップをノズル基部に固定するとともに、キャップの一部はボンベのノズル基部と接触せずに排出されるガスの流路を確保する、ボンベの内部ガス排出用キャップを提供する。典型的には、本発明のキャップは、内部が空洞で、カップ状の形状を有する。
好ましい態様においては、ボンベのノズル基部とキャップが接触する部分の横方向の断面において、キャップの断面形状が略四角であり、直線部分においてボンベのノズル基部と密着される。異なる態様においてはボンベのノズル基部とキャップが接触する部分の横方向の断面において、キャップの断面形状が内側方向への少なくとも１つの突起部分を有し、該突起部分においてボンベのノズル基部と密着される。
【０００５】
本発明においてボンベとは、加圧気体、液化気体などが封入された加圧容器をいい、典型的にはエアゾール缶、カセットコンロ用ガスボンベ、およびキャンプ用ガスボンベから選択される加圧容器である。
ノズルの露出部分とは、エアゾールの噴射用キャップなどを取り除いた後に外部に露出されるエアゾールバルブのノズル部分およびそれを保持するマウンテンキャップ部分を言う。内部ガスを排出させる際に、キャップを押してキャップの上面によりノズルを押し込む必要があるので、キャップの長さはノズルの露出部分の高さ方向長さよりも短いことが必要である。
ボンベのノズル基部とは、バルブハウジングを保持するマウンテンキャップの立ち上がり部分５をいう。
嵌着可能とは、キャップをノズル基部に嵌めることにより、キャップをノズル基部に固定することが可能なことをいう。
【０００６】
ノズル基部とキャップが接触する部分の横方向の断面とは、ノズルの長さ方向と垂直な方向での、ノズル基部とキャップが接触する部分の断面をいう。本発明においては、かかる断面においてキャップの一部のみがボンベのノズル基部と密着してキャップをノズル基部に固定するとともに、キャップの一部はボンベのノズル基部と接触せずにガスの流路を確保する。すなわち、キャップの一部はボンベのノズル基部と密着してキャップをノズルにしっかりと嵌着・固定させ、キャップの一部はボンベのノズル基部と接触せず、内部ガスが排出されて周囲に流出するための流路を保持する。
【０００７】
本発明のキャップは内部が空洞であり、キャップが挿入される方向に開口を有する。キャップは典型的には、開口部の最短径が約１０ｍｍ、高さが約１０−１５ｍｍのカップ状の形状を有する。一般的には本発明のキャップは薄肉のブリキから製造することができ、形状が複雑ではないので、比較的安価に製造することができる。
【０００８】
本発明のキャップをボンベのノズルに嵌着させ、上方から押してキャップの上面でノズルの先端を押し込み、ボンベ内部のガスを排出させる。この際キャップ上面がノズル穴を塞がないように、内側方向へのたとえば十字状の突起が設けられる。
キャップの一部がボンベのノズル基部と密着するとともに、キャップの一部がボンベのノズル基部と接触しないようにすることにより、内部ガスを排出している最中にキャップを横又は斜めに押すことにより、キャップがノズルから簡単にはずれ、ガスの排出を中止することができる。
【発明の効果】
【０００９】
本発明により、ガス抜き作業の途中でも容易にガスの排出を停止できるボンベ用のガス抜き装置であって、より低コストで製造できるものを得ることができる。
さらには、本発明のキャップは廃棄されたボンベに装着したまま廃棄することができ、本発明のキャップが嵌められていれば、目視によりボンベのガスが排出されていることを確認できるという効果も得られる。
【発明を実施するための最良の形態】
【００１０】
本発明の好ましい実施態様について、図面を参照しつつ以下に説明する。
図１にエアゾール缶の典型的な構造例を示す。ノズル２はバルブハウジング３、およびこれとかしめられるマウンテンキャップ４により保持される。ノズル基部であるマウンテンキャップ４の立ち上がり部は５で示される。ノズルの露出部分長さは、ノズル２の頂点と、マウンテンキャップの底面部分６との間の距離を言う。また、ノズル基部とキャップが接触する部分の横方向の断面とは、キャップをノズルに嵌着した際のノズル基部と接触している部分の、ノズルの長さ方向と垂直な方向における断面を言う。たとえば、図１のＡ−Ａ線における断面が該当する。
【００１１】
本発明の好ましい態様のキャップを図２−４に示す。図２はキャップの使用時の正面断面図、図３は、図２におけるＢ−Ｂ線から下方を見たときの図である。図４は、異なる態様のキャップを嵌着した際の図１のＡ−Ａ線における断面図である。
本発明のキャップは、ノズル基部と接触する部分の断面において、ノズル基部の直径よりも短い部分と長い部分を有し、ノズル基部の直径よりも短い部分においてノズル基部と接触してしっかりと嵌着して固定される。またノズル基部の直径よりも長い部分では、ノズル基部とキャップとの間に空間が形成され、排出される内部ガスの流路が保持される。
【００１２】
図２および図３に示された本発明のキャップ上面には、内側方向への十字状の突起９が設けられる。図２は、この突起がノズルと接触する直前の状態を描いている。さらにキャップを押し込むと、この突起とノズルが接触し、ノズルが押し込まれ、ガスが突起とノズルの間に確保される流路を通って排出される。
【００１３】
図３には、キャップのノズル基部と接触する部分の断面形状が略四角である態様が示される。四角形の直線部分の幅がノズル基部の直径よりも短くされ、この直線部分によりノズル基部が挟まれ、キャップが固定される。また四角形の角の部分はノズル基部と接触せず、その間の空間を排出されたガスが通り、外部に流出する。さらに直線部分に突起を設け、より強くノズル基部に嵌め込むこともできる。
【００１４】
図３に点線で十字状の突起９の形状が示されている。突起はＢ−Ｂ線よりも上にあるが、ノズル穴と十字状の突起との位置関係を示すため、便宜的に記載した。この十字状の突起により、ノズル穴をふさぐことなくノズルを押し込むことができる。なお、十字状の突起が例示されたが、ノズル穴をふさぐことなくノズルを押し込むことができれば、その形状は任意であることができる。
【００１５】
図４には、キャップのノズル基部と接触する部分の断面形状が内側に突き出した突起部分を有する態様が示される。この突起によりキャップがノズル基部にしっかりと嵌め込まれ、固定される。
【００１６】
キャップのノズル基部と接触する部分の断面形状の例として、図３に矩形部分を有するもの、図４に突起部分を有するものが示されたが、断面形状はこれらに限定されるものではなく、ノズル基部にしっかりと嵌着でき、排出ガスの流路が確保される任意の形状であることができる。
【図面の簡単な説明】
【００１７】
【図１】エアゾール缶の典型的な構造例を示す図である。
【図２】本発明の好ましい態様のキャップの使用時の正面断面図である。
【図３】本発明の好ましい態様のキャップの使用時の横断面図である。
【図４】本発明の異なる好ましい態様のキャップの使用時の断面図である。
【符号の説明】
【００１８】
１：エアゾール缶
２：ノズル
３：エアゾールバルブ
４：マウンテンキャップ
５：マウンテンキャップ８の立ち上がり部
６：マウンテンキャップの底面部分
７：キャップ
８：ノズル穴
９：十字状の突起
【図１】
2007308147.tif 000003
【図２】
2007308147.tif 000004
【図３】
2007308147.tif 000005
【図４】
2007308147.tif 000006
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
ノズルの露出部分よりも短い長さを有し、ボンベのノズル基部と嵌着可能なボンベの内部ガス排出用キャップであって、ボンベのノズル基部とキャップが接触する部分の横方向の断面において、キャップの断面形状が略四角であり、直線部分においてボンベのノズル基部と密着してキャップをノズル基部に固定するとともに、キャップの一部はボンベのノズル基部と接触せずに排出されるガスの流路を確保する、ボンベの内部ガス排出用キャップ。
【請求項２】
ボンベのノズル基部とキャップが接触する部分の横方向の断面において、キャップの断面形状が内側方向への少なくとも１つの突起部分を有し、該突起部分においてボンベのノズル基部と密着する、請求項１記載のキャップ。
【請求項３】
キャップ上面に、内側方向への十字状の突起が設けられる、請求項１または２記載のキャップ。
【請求項４】
ボンベが、エアゾール缶、カセットコンロ用ガスボンベ、およびキャンプ用ガスボンベから選択される加圧容器である、請求項１から３のいずれか１項記載のキャップ。